(57)【特許請求の範囲】
【請求項１】
電動工具の電源として該電動工具の工具本体に装着可能に構成されるバッテリパックであって、
前記バッテリパックの外装をなす筐体ケースには、該筐体ケースの外部から該筐体ケースの内部に連通する連通開口部が設けられており、
前記筐体ケースには、前記連通開口部の周囲の水が該連通開口部に入り込んでしまうのを規制する水入り込み規制部位が該筐体ケースと一体で設けられており、
前記水入り込み規制部位は、前記連通開口部の周囲の水を該連通開口部から遠ざかる方向に流れさせる傾斜構造にて構成されていることを特徴とするバッテリパック。
【請求項２】
請求項１に記載のバッテリパックにおいて、
前記工具本体等の被装着具に装着した際に該被装着具側に設けられる接続端子と電気的に接続するバッテリ側接続端子を備え、
前記連通開口部は、前記バッテリ側接続端子の配設部位に設定されていることを特徴とするバッテリパック。
【請求項３】
電動工具の電源として該電動工具の工具本体に装着可能に構成されるバッテリパックであって、
前記バッテリパックの外装をなす筐体ケースには、該筐体ケースの外部から該筐体ケースの内部に連通する連通開口部が設けられており、
前記筐体ケースには、前記連通開口部の周囲の水が該連通開口部に入り込んでしまうのを規制する水入り込み規制部位が該筐体ケースと一体で設けられており、
前記工具本体等の被装着具に装着した際に該被装着具側に設けられる接続端子と電気的に接続するバッテリ側接続端子を備え、
前記連通開口部は、前記バッテリ側接続端子の配設部位に設定されており、
前記水入り込み規制部位は、前記連通開口部の周囲として設定される前記バッテリ側接続端子の配設部位の周辺に対して設けられていることを特徴とするバッテリパック。
【請求項４】
電動工具の電源として該電動工具の工具本体に装着可能に構成されるバッテリパックであって、
前記バッテリパックの外装をなす筐体ケースには、該筐体ケースの外部から該筐体ケースの内部に連通する連通開口部が設けられており、
前記筐体ケースには、前記連通開口部の周囲の水が該連通開口部に入り込んでしまうのを規制する水入り込み規制部位が該筐体ケースと一体で設けられており、
前記工具本体等の被装着具に装着した際に該被装着具側に設けられる雌フック部と嵌合する雄フック部を備え、
前記連通開口部は、前記雄フック部の配設部位に設定されており、
前記水入り込み規制部位は、前記連通開口部の周囲として設定される前記雄フック部の配設部位の周辺に対して設けられていることを特徴とするバッテリパック。
【請求項５】
請求項４に記載のバッテリパックにおいて、
前記水入り込み規制部位は、前記連通開口部の周囲の水を該連通開口部から隔てさせる凹凸形状にて構成されていることを特徴とするバッテリパック。
【請求項６】
電動工具の電源として該電動工具の工具本体にスライド装着可能に構成されるバッテリパックであって、
前記工具本体に設けられたガイド形状に対してスライド方向となる前後方向で嵌め合わされるスライドガイド部が左右幅方向の両側に対をなして設けられており、
対をなす前記スライドガイド部同士の間に配置される上面は、前記工具本体にスライド装着させる際の開始側となる前側から該工具本体にスライド装着が完了する後側に向けて上側に傾けられていることを特徴とするバッテリパック。
【発明の詳細な説明】
【技術分野】
【０００１】
本発明は、電動工具の電源として該電動工具の工具本体に装着可能に構成されるバッテリパックに関する。
【背景技術】
【０００２】
従来、電動工具は、電動にて駆動する工具本体と、この工具本体の駆動電源となるバッテリパックとを備える。このバッテリパックは、工具本体に対して着脱可能に構成される（例えば、特許文献１参照）。このため、このバッテリパックは、充電量が少なくなると、工具本体から取り外して外部の専用充電器にて充電できるようになっている。また、このバッテリパックは、この専用充電器にて充電が完了すると、工具本体にバッテリパックを装着し、電動工具の駆動電源として機能するものとなっている。
【先行技術文献】
【特許文献】
【０００３】
【特許文献１】特開２０１０−１４６８７９号公報
【発明の概要】
【発明が解決しようとする課題】
【０００４】
ところで、上記した電動工具にあっては、屋外にて使用される場合があり、雨滴等の水がかかってしまうことがある。つまり、上記したバッテリパックにあっても、工具本体にスライド装着している場合や、工具本体から取り外されて単体で地面で置かれている場合等に、雨滴等の水がかかってしまうことがある。このため、このような工具本体に装着可能に構成されるバッテリパックにあっては、防水性能を高めることが望まれている。
【０００５】
本発明は、このような事情に鑑みなされたものであって、本発明が解決しようとする課題は、電動工具の電源として該電動工具の工具本体に装着可能に構成されるバッテリパックにおいて、防水性を高めることにある。
【課題を解決するための手段】
【０００６】
上記した課題を解決するにあたって、本発明に係るバッテリパックは次の手段を採用する。
すなわち、本発明の第１の発明に係るバッテリパックは、電動工具の電源として該電動工具の工具本体に装着可能に構成されるバッテリパックであって、前記バッテリパックの外装をなす筐体ケースには、該筐体ケースの外部から該筐体ケースの内部に連通する連通開口部が設けられており、前記筐体ケースには、前記連通開口部付近の水が該連通開口部に入り込んでしまうのを規制する水入り込み規制部位が設けられていることを特徴とする。
この第１の発明に係るバッテリパックによれば、筐体ケースには連通開口部付近の水が連通開口部に入り込んでしまうのを規制する水入り込み規制部位が設けられているので、この水入り込み規制部位により連通開口部に水が入り込んでしまうのを規制することができる。これによって、筐体ケースの外部から筐体ケースの内部への水の侵入を規制して、バッテリパックの防水性を高めることができる。
【０００７】
第２の発明に係るバッテリパックは、前記第１の発明に係るバッテリパックにおいて、前記水入り込み規制部位は、前記連通開口部付近の水を該連通開口部から遠ざかる方向に流れさせる傾斜構造にて構成されていることを特徴とする。
この第２の発明に係るバッテリパックによれば、水入り込み規制部位は連通開口部付近の水を連通開口部から遠ざかる方向に流れさせる傾斜構造にて構成されているので、この水入り込み規制部位の傾斜構造によって連通開口部付近の水を連通開口部から遠ざかる方向に流れさせることができる。これによって、水を連通開口部から遠のけて筐体ケースの外部から内部に水が入ってしまうのを規制し、もってバッテリパックの防水性を高めることができる。
【０００８】
第３の発明に係るバッテリパックは、前記第２の発明に係るバッテリパックにおいて、前記工具本体等の被装着具に装着した際に該被装着具側に設けられる接続端子と電気的に接続するバッテリ側接続端子を備え、前記連通開口部は、前記バッテリ側接続端子の配設部位に設定されており、前記水入り込み規制部位は、前記連通開口部付近として設定される前記バッテリ側接続端子の配設部位の周辺に対して設けられていることを特徴とする。
なお、被装着具としては、例えば、電動にて駆動する工具本体であったり、充電する際の専用充電器であったりする。
この第３の発明に係るバッテリパックによれば、水入り込み規制部位はバッテリ側接続端子の配設部位の周辺に対して設けられているので、上記した水入り込み規制部位の傾斜構造によって、バッテリ側接続端子の配設部位の周辺の水を、このバッテリ側接続端子の配設部位の周辺から遠ざかる方向に流れさせることができる。これによって、水をバッテリ側接続端子の配設部位から遠のけることができて、筐体ケースの外部から内部への水の侵入を規制してバッテリパックの防水性を高めることができ、さらにバッテリ側接続端子に対しても雨滴等の水の触れ難いものとすることができる。
【０００９】
第４の発明に係るバッテリパックは、前記第１の発明に係るバッテリパックにおいて、前記水入り込み規制部位は、前記連通開口部付近の水を該連通開口部から隔てさせる凹凸形状にて構成されていることを特徴とする。
この第４の発明に係るバッテリパックによれば、水入り込み規制部位は、連通開口部付近の水を連通開口部から隔てさせる凹凸形状にて構成されているので、この水入り込み規制部位の凹凸形状によって連通開口部付近の水を連通開口部から隔てることができる。これによって、水を連通開口部から隔てて筐体ケースの外部から筐体ケースの内部への水の侵入を規制して、バッテリパックの防水性を高めることができる。
なお、この『凹凸形状』としては、例えば、突起形状のリブを含む凸状の壁構造、凹状の溝、適宜の凹凸段差形状等が含まれるものであり、連通開口部付近の水を連通開口部から隔てさせるように機能する凹形状、凸形状、凹凸形状の全てが含まれる。
【００１０】
第５の発明に係るバッテリパックは、前記第４の発明に係るバッテリパックにおいて、前記工具本体等の被装着具に装着した際に該被装着具側に設けられる雌フック部と嵌合する雄フック部を備え、前記連通開口部は、前記雄フック部の配設部位に設定されており、前記水入り込み規制部位は、前記連通開口部付近として設定される前記雄フック部の配設部位の周辺に対して設けられていることを特徴とする。
この第５の発明に係るバッテリパックによれば、水入り込み規制部位は雄フック部の配設部位の周辺に対して設けられているので、上記した水入り込み規制部位の凹凸形状によって、雄フック部の配設部位の周辺の水を雄フック部の配設部位から隔てることができる。これによって、水を雄フック部の配設部位から隔てて筐体ケースの外部から内部に水が入ってしまうのを規制し、もってバッテリパックの防水性を高めることができる。
【００１１】
第６の発明に係るバッテリパックは、前記第４の発明に係るバッテリパックにおいて、前記筐体ケースの外部から内部に通風する通風孔を備え、前記連通開口部は、前記通風孔の配設部位に設定されており、前記水入り込み規制部位は、前記連通開口部付近として設定される前記通風孔の配設部位の周辺に対して設けられていることを特徴とする。
この第６の発明に係るバッテリパックによれば、水入り込み規制部位は通風孔の配設部位の周辺に対して設けられているので、上記した水入り込み規制部位の凹凸形状によって、通風孔の配設部位の周辺の水を通風孔の配設部位から隔てることができる。これによって、水を通風孔の配設部位から隔てて筐体ケースの外部から内部に水が入ってしまうのを規制し、もってバッテリパックの防水性を高めることができる。
【発明の効果】
【００１２】
第１の発明に係るバッテリパックによれば、筐体ケースの外部から内部に水が入ってしまうのを規制して、バッテリパックの防水性を高めることができる。
第２の発明に係るバッテリパックによれば、水を連通開口部から遠のけて水が入ってしまうのを規制し、バッテリパックの防水性を高めることができる。
第３の発明に係るバッテリパックによれば、バッテリパックの防水性を高め、さらにバッテリ側接続端子に対しても雨滴等の水の触れ難いものとすることができる。
第４の発明に係るバッテリパックによれば、水を連通開口部から隔てて筐体ケースの外部から内部に水が入ってしまうのを規制し、バッテリパックの防水性を高める。
第５の発明に係るバッテリパックによれば、水を雄フック部の配設部位から隔てることにより水が入ってしまうのを規制し、バッテリパックの防水性を高める。
第６の発明に係るバッテリパックによれば、水を通風孔の配設部位から隔てることにより水が入ってしまうのを規制し、バッテリパックの防水性を高める。
【図面の簡単な説明】
【００１３】
【図１】第１の実施の形態のバッテリパックを示す外観斜視図である。
【図２】図１のバッテリパックの上面図である。
【図３】図２のバッテリパックのＩＩＩ−ＩＩＩ断面矢視を示す断面図である。
【図４】図２のバッテリパックのＩＶ−ＩＶ断面矢視を示す断面図である。
【図５】図４に示すバッテリパックの上面を拡大して示す拡大断面図である。
【図６】第２の実施の形態のバッテリパックを示す外観斜視図である。
【図７】図６のバッテリパックの上面図である。
【図８】図７におけるＶＩＩＩ−ＶＩＩＩ断面矢視を示す断面図である。
【図９】図７におけるＩＸ−ＩＸ断面矢視を示す断面図である。
【発明を実施するための形態】
【００１４】
［第１の実施の形態］
以下に、本発明に係るバッテリパックを実施するための第１の実施の形態について図１〜図５の図面を参照しながら説明する。
図１では、この第１の実施の形態となるバッテリパック１０の外観を斜視にて示している。図２は、このバッテリパック１０を上面視した場合を示している。図３は、図２におけるＩＩＩ−ＩＩＩ断面矢視のバッテリパック１０の内部構造を示している。図４は、図２におけるＩＶ−ＩＶ断面矢視のバッテリパック１０の内部構造を示している。なお、以下の説明におけるバッテリパック１０は、バッテリパック１０の電気接続側が上側として規定しており、バッテリパック１０のスライド装着方向を前側として規定している。
図１〜図４に示すバッテリパック１０は、例えば電動ドライバに代表される電動工具の工具本体に着脱可能にされるものである。バッテリパック１０は、この装着された工具本体の駆動電源となるものである。つまり、バッテリパック１０は、充電量が少なくなると工具本体から取り外して外部の専用充電器にて充電し、この専用充電器にて充電が完了すると工具本体に装着して駆動電源として機能する。なお、このバッテリパック１０は、不図示の工具本体や不図示の専用充電器に装着するにあたっては、スライドさせて装着（スライド装着）させる構造となっている。
【００１５】
バッテリパック１０は、図３等に示すように、概略、筐体ケース１１と、内部装置体２１とを備える。
筐体ケース１１は、バッテリパック１０の外装ケースとしての機能を有しつつ、内部装置体２１を内蔵する筐体としての機能を有する。この筐体ケース１１は、上部が開口された箱形状のケース本体１２と、このケース本体１２の上蓋としてケース本体１２の開口上部を閉塞する上蓋部材１６とを備える。ケース本体１２は、箱形状内部に内部装置体２１を配置することができるようになっている。上蓋部材１６は、箱形状内部に内部装置体２１を配置したケース本体１２の開口上部を閉塞するように取り付けられ、図１および図２に示すように、締結螺子１９にて螺子締結されている。これにより、筐体ケース１１は、内部装置体２１を内蔵する筐体として構成される。なお、この筐体ケース１１には、後に詳述する電気接続部３４および雄フック機構４０を配設するにあたって、筐体ケース１１の外部から筐体ケース１１の内部に連通するための開口形状が形成されるものとなっている。
内部装置体２１は、バッテリパック１０の電源として機能を有する。すなわち、内部装置体２１は、図３および図４に示すように、複数本の電池セル２２と、この複数の電池セル２２と電気的に接続される制御基板２６とを備える。電池セル２２は、バッテリパック１０が工具本体の駆動電源として機能するために、充電可能となる電池セルとして構成される。この電池セル２２は、上記した筐体ケース１１に複数本内蔵されており、制御基板２６に電気的に接続されている。制御基板２６は、電池セル２２を蓄電したり放電したりするに際しての制御を適宜に行う。なお、この制御基板２６は、図２に示しつつ後に説明するプラス用接続部３４１の接続端子３６１、マイナス用接続部３４２の接続端子３６２、制御用接続部３４３の接続端子３６３に対して、電気的に接続されている。
【００１６】
ところで、上記した筐体ケース１１の上面には、不図示の工具本体や不図示の専用充電器に装着するためのスライド装着部３０が設けられている。スライド装着部３０は、工具本体（不図示）や専用充電器（不図示）に対して、バッテリパック１０をスライド装着させる機能を有する。このため、スライド装着部３０は、バッテリパック１０のスライド装着をガイドする機能を有しつつ、スライド装着されたバッテリパック１０との電気的な接続を可能とする電気接続部としての機能を有している。すなわち、スライド装着部３０は、バッテリパック１０のスライド装着をガイドするスライドガイド部３１と、バッテリパック１０を電気的に接続する電気接続部３４とを備える。
スライドガイド部３１は、左右幅方向に外フランジ形状に張り出しながら前後方向に延びる雄形ガイド形状にて形成されている。このスライドガイド部３１は、工具本体（不図示）や専用充電器（不図示）に設けられた雌形ガイド形状に対してスライド方向にて嵌め合うことができる。このため、スライドガイド部３１は、このバッテリパック１０の上面１７にて左右幅方向に対をなすように、この左右幅方向に適宜に張り出す外フランジ形状にて形成されている。なお、このバッテリパック１０は、上記したように図示規定の前側がスライド装着方向と一致しており、図示規定の後側が取外し方向と一致している。
【００１７】
電気接続部３４は、上記したスライドガイド部３１の後側に設けられている。この電気接続部３４は、被装着具としての工具本体にバッテリパック１０をスライド装着させた場合に、この工具本体側に設けられる接続端子と電気的に接続する部分である。このため、電気接続部３４は、電力を充電あるいは放電するための接続部分となるプラス用接続部３４１およびマイナス用接続部３４２と、上記した制御基板２６と連携するための接続部分となる制御用接続部３４３との、３つの接続部分にて構成される。
これら３つの電気接続部３４（プラス用接続部３４１、マイナス用接続部３４２、制御用接続部３４３）は、概略、端子受入れ溝３５と、バッテリ側接続端子３６とを備え、個別具体的には次のように構成される。なお、プラス用接続部３４１とマイナス用接続部３４２とは対をなす対称構造にて形成されるため、以下においてはプラス用接続部３４１について説明することによりマイナス用接続部３４２について説明したものとする。
すなわち、プラス用接続部３４１（マイナス用接続部３４２）は、端子受入れ溝３５としての受入れ溝３５１（受入れ溝３５２）と、バッテリ側接続端子３６としての接続端子３６１（接続端子３６２）とを備える。受入れ溝３５１は、バッテリパック１０の前後方向に延びる凹溝であり、例えば工具本体側の電力供給用の接続端子（不図示）がスライドして嵌入される。この受入れ溝３５１の内部には、接続端子３６１が配設されている。この接続端子３６１は、上記したプラス受け溝３５１の凹溝内部にスライドして嵌入する工具本体側の接続端子（不図示）と電気的に接続する。接続端子３６１は、図２および図４に示すように、板ばね状の金属端子を対向配置することにより構成される。
【００１８】
制御用接続部３４３は、上記したプラス用接続部３４１とマイナス用接続部３４２との間に設けられている。制御用接続部３４３は、端子受入れ溝３５としての受入れ溝３５３と、バッテリ側接続端子３６としての接続端子３６３とを備える。受入れ溝３５３は、バッテリパック１０の前後方向に延びる凹溝であり、例えば工具本体側の制御用の接続端子（不図示）がスライドして嵌入される。なお、この受入れ溝３５３の長さは、上記したプラス用接続部３４１（マイナス用接続部３４２）に具備される受入れ溝３５１（受入れ溝３５２）の長さよりも短い長さに設定されている。この受入れ溝３５３の内部には、上記したプラス用接続部３４１（マイナス用接続部３４２）に具備される接続端子３６１（接続端子３６２）と同様に構成される、接続端子３６３が配設されている。
なお、これらプラス用接続部３４１の接続端子３６１と、マイナス用接続部３４２の接続端子３６２と、制御用接続部３４３の接続端子３６３とは、上記した制御基板２６に電気的に接続されている。このため、これら接続端子３６１（プラス用接続部３４１）の配設部位、接続端子３６２（マイナス用接続部３４２）の配設部位、接続端子３６３（制御用接続部３４３）の配設部位にあっては、制御基板２６と接続するために筐体ケース１１の外部から筐体ケース１１の内部に連通する開口形状が形成されるものとなっている。この連通する開口形状は、本発明に係る連通開口部に相当する。
このため、接続端子３６１（プラス用接続部３４１）の配設部位の周辺、接続端子３６２（マイナス用接続部３４２）の配設部位の周辺、接続端子３６３（制御用接続部３４３）の配設部位の周辺は、本発明に係る連通開口部付近に相当する部分となる。具体的には、これら接続端子３６１，３６２，３６３を含む電気接続部３４の前側の部分が、これら接続端子３６１，３６２，３６３の配設部位の周囲として設定される部分となっており、本発明に係る連通開口部付近に相当する部分となっている。ここで、この接続端子３６１，３６２，３６３を含む電気接続部３４の前側の部分は、スライドガイド部３１に挟まれており、上蓋部材１６の上面としても設定される部分であり、筐体ケース１１の上面としても設定される部分であり、全体ではバッテリパック１０の上面１７として設定される部分である。
【００１９】
図５は、接続端子３６１，３６２，３６３を含む電気接続部３４の前側に位置するバッテリパック１０の上面１７を分かり易くするために、図４にて示すバッテリパック１０の上面１７を拡大して示している。なお、図５にて示すバッテリパック１０は、バッテリパック１０を水平面に載置した際のバッテリパック１０の上面１７である。また、図５においては、バッテリパック１０の上面１７の傾斜構造を分かり易くするために、この上面１７に対して水平線を付している。
図５に示すように、バッテリパック１０の上面１７は、傾斜構造（傾斜する平面形状）にて形成されている。このバッテリパック１０の上面１７は、略平面形状でありながら、バッテリパック１０の前側に向かうにしたがってバッテリパック１０の下側に向かうように傾斜角度を付けている。言い換えれば、バッテリパック１０の上面１７は、バッテリパック１０の後側に位置する電気接続部３４に向かうにしたがって上側に向かって傾斜する平面形状にて形成されている。
すなわち、バッテリパック１０の上面１７は、バッテリパック１０の前側に向かうにしたがってバッテリパック１０の下側に下る傾斜平面形状の傾斜構造をなすことにより、バッテリパック１０の上面１７は、本発明に係る水入り込み規制部位を構成する。つまり、水がバッテリパック１０にかかるなどして、バッテリパック１０の上面１７に水が乗っかった場合には、このバッテリパック１０の上面１７の水は、このバッテリパック１０の上面１７のうち、電気接続部３４の配設側（プラス用接続部３４１の接続端子３６１の配設部位側、マイナス用接続部３４２の接続端子３６２の配設部位側、制御用接続部３４３の接続端子３６３の配設部位側）に向かって流れることなく、これとは反対側となるバッテリパック１０の前側に向かって流れることとなる。言い換えれば、バッテリパック１０の上面１７の水は、電気接続部３４の配設側（プラス用接続部３４１の接続端子３６１の配設部位側、マイナス用接続部３４２の接続端子３６２の配設部位側、制御用接続部３４３の接続端子３６３の配設部位側）から遠ざかる方向に流れることとなり、水が電気接続部３４（接続端子３６１，３６２，３６３）の配設側に入り込んでしまうのを規制するように作用する。
【００２０】
ところで、図５に示すように、上記した電気接続部３４（プラス用接続部３４１）と、この電気接続部３４（プラス用接続部３４１）の前側に位置するバッテリパック１０の上面１７との間に存する境界部分には、段差部３７が設けられている。この段差部３７は、この境界部分に設定される電気接続部３４（プラス用接続部３４１）の前端部分を、バッテリパック１０の上側に突出させた形状とすることにより形成される。
なお、図５は図４を拡大して示すものであるため、電気接続部３４としてのプラス用接続部３４１の前端部分にて形成される段差部３７についてを説明するものであったが、電気接続部３４としてのマイナス用接続部３４２および制御用接続部３４３のそれぞれの前端部分においても、このプラス用接続部３４１の前端部分にて形成される段差部３７と同様の段差部３７が形成されている。
【００２１】
他方、上記したバッテリパック１０の後部には、上記した工具本体（被装着具）に装着した際に、この工具本体側に設けられる不図示の雌フック部と嵌合する雄フック機構４０が設けられている。この雄フック機構４０は、本発明に係る雄フック部に相当する。この雄フック機構４０は、上記した筐体ケース１１と内部装置体２１との間に形成された収容空間（機構収容スペース１８）に収容されるようにして配設される。この機構収容スペース１８に、次のように構成される雄フック機構４０が配設される。
雄フック機構４０は、図３および図４に示すように、ベース部材４１と、雄フック本体４５と、付勢コイルばね４９とを備える。ベース部材４１は、図３に示すように、螺子部材４２を介して筐体ケース１１に固定されることにより、上記した機構収容スペース１８に対して配設されている。このベース部材４１は、上記した筐体ケース１１と内部装置体２１とを隔離する構造を有している。つまり、具体的には図示していないが、ベース部材４１は、周縁の略全周が筐体ケース１１の内面に当接するように形成されており、このように周縁の略全周を筐体ケース１１に当接させることによって、ベース部材４１は、筐体ケース１１と内部装置体２１とを隔離するものとなっている。このため、図２におけるバッテリパック１０のＩＶ−ＩＶ断面矢視となる図４では、ベース部材４１の内部に関しては見えないものとなっている。
【００２２】
雄フック本体４５は、上記したベース部材４１と筐体ケース１１との間に配置される。雄フック本体４５は、このベース部材４１と筐体ケース１１とに対して相対的に上下移動する部材である。このため、雄フック本体４５は、図３に示すように、筐体ケース１１の上面と後面とに沿うように湾曲しながら筐体ケース１１の内部で上下方向に延びる形状となっている。雄フック本体４５は、図３に示す下から上へ、概略、付勢ガイド部４６と、操作部４７と、フック部４８とを備える。
付勢ガイド部４６は、この雄フック本体４５の下部を形成しており、付勢コイルばね４９の上端と当接する。また、付勢ガイド部４６は、上記したベース部材４１と筐体ケース１１とにより挟み込まれて前後左右の移動が規制されている。このため、付勢ガイド部４６は、付勢コイルばね４９の付勢力を受けつつ、雄フック本体４５の上下移動をガイドする機能を有することとなる。これに対して操作部４７およびフック部４８は、外部に露出されるように形成される。操作部４７は、雄フック本体４５の中間部分に形成されており、図１にも示すように使用者の操作指をかけることができる適宜の凹形状を有して形成される。この操作部４７は、筐体ケース１１の後部に設けられた操作部露出窓１１１から外部に露出するようになっている。フック部４８は、雄フック本体４５の上端に形成されており、図１にも示すように上側に突出する雄フック形状を有して形成される。このフック部４８は、筐体ケース１１の上部に設けられたフック部露出窓１１２から外部に露出するようになっている。このフック部４８は、バッテリパック１０のスライド装着に応じて、工具本体や専用充電器側に設けられる不図示の雌フック部と嵌合することができるように適宜のテーパ形状を有した雄フック形状にて形成されている。
【００２３】
このため、筐体ケース１１には、上記した操作部４７およびフック部４８を外部に露出するために、筐体ケース１１の外部から筐体ケース１１の内部に連通する開口形状となる操作部露出窓１１１およびフック部露出窓１１２が設けられている。具体的には、操作部露出窓１１１は、筐体ケース１１の後部に上記した操作部４７を上下に操作可能に設けられている。具体的には、この操作部露出窓１１１は、図１および図２に示すように、筐体ケース１１の外部から筐体ケース１１の内部に連通するための矩形状の開口形状となっている。また、フック部露出窓１１２は、図１および図２に示すように、筐体ケース１１の上部に上記したフック部４８が突出退行可能に設けられている。このフック部露出窓１１２は、筐体ケース１１の外部から筐体ケース１１の内部に連通するためのコ字状の開口形状となっている。なお、この連通する開口形状となる操作部露出窓１１１およびフック部露出窓１１２は、本発明に係る連通開口部に相当する。このため、これら操作部露出窓１１１およびフック部露出窓１１２の配設部位の周辺は、本発明に係る連通開口部付近に相当する部分となる。
付勢コイルばね４９は、広く利用されるコイルばねであり、下端がベース部材４１の内面に当接し、上端が雄フック本体４５の下部に当接し、もって雄フック本体４５を上側に向けて付勢する。このようにして、常態時の雄フック機構４０は、雄フック本体４５のフック部４８を、付勢コイルばね４９の付勢力によりフック部露出窓１１２から突出させる。つまり、工具本体側に設けられる不図示の雌フック部と嵌合可能な状態となる。これに対して、操作部露出窓１１１から露出する操作部４７を付勢コイルばね４９の付勢力に抗して下側に移動させた場合には、フック部露出窓１１２から突出する雄フック本体４５のフック部４８は退行することとなる。つまり、工具本体側に設けられる不図示の雌フック部と嵌合を解除することができる。
【００２４】
ここで、操作部露出窓１１１の配設部位の上側に位置する筐体ケース１１には、段差ガイド部５０が設けられている。この段差ガイド部５０は、このフック部露出窓１１２の配設部位の周辺の水をフック部露出窓１１２から隔てさせる凸形状にて構成されている。この段差ガイド部５０は、図１および図２に示すように、筐体ケース１１の外面の水がフック部露出窓１１２を避けて筐体ケース１１の外面をつたって流れるように形成されている。具体的には、図示するように段差ガイド部５０は、上側が凸となる山形にて外側に突出する段差が形成されている。この段差ガイド部５０の山形の段差は、山形頂上部分（図示符号５１）が操作部露出窓１１１の配設部位の上側に位置しつつ、山形両裾部分（図示符号５２）が操作部露出窓１１１の配設部位の左右両側に位置するように形成されている。なお、この段差ガイド部５０の段差となる突出段差量は、山形頂上部分（図示符号５１）から山形両裾部分（図示符号５２）に向かうにしたがって小さくなるように設定されている。このような段差ガイド部５０の山形の段差は、本発明に係る水入り込み規制部位を構成する。つまり、段差ガイド部５０は、水がバッテリパック１０にかかるなどした場合、水が操作部露出窓１１１の内側に入り込んでしまうのを規制するように水の移動をガイドする。
なお、上記したベース部材４１は、筐体ケース１１と内部装置体２１とを隔離する構造を有して構成されているため、これらの操作部露出窓１１１およびフック部露出窓１１２から筐体ケース１１の内部に水が浸入しても、この筐体ケース１１の内部に浸入した水を、このベース部材４１によって内部装置体２１に対して浸入してしまうことを規制することができるようになっている。
【００２５】
上記したバッテリパック１０によれば、次のような作用効果を奏することができる。
すなわち、上記したバッテリパック１０によれば、電気接続部３４および雄フック機構４０を配設するにあたっての開口形状が形成されるものとなっている。ここで、筐体ケース１１に設けられた水入り込み規制部位としての上記したバッテリパック１０の上面１７と段差ガイド部５０とは、外部からかかった水が開口形状に入り込んでしまうのを規制するように作用する。これによって、筐体ケース１１の外部から筐体ケース１１の内部への水の侵入を規制して、バッテリパック１０の防水性を高めることができる。
また、上記したバッテリパック１０によれば、バッテリパック１０の上面１７の傾斜構造は、バッテリ側接続端子３６（プラス用接続部３４１の接続端子３６１、マイナス用接続部３４２の接続端子３６２、制御用接続部３４３の接続端子３６３）の配設部位の前側に対して設けられているので、この傾斜構造によってバッテリ側接続端子３６の配設部位の周辺の水をバッテリ側接続端子３６の配設部位の周辺から遠ざかる方向に流れさせることができる。これによって、バッテリパック１０の上面１７の水を、バッテリ側接続端子３６の配設部位から遠のけることができて、筐体ケース１１の外部から内部に水が入ってしまうのを規制してバッテリパック１０の防水性を高めることができ、さらにバッテリ側接続端子３６に対しても雨滴等の水が触れ難いものとすることができる。
【００２６】
また、上記したバッテリパック１０によれば、水入り込み規制部位は、連通開口部付近の水を連通開口部から隔てさせる凹凸形状にて構成されているので、この水入り込み規制部位の凹凸形状によって連通開口部付近の水を連通開口部から隔てることができる。これによって、水を連通開口部から隔てて筐体ケース１１の外部から内部に水が入ってしまうのを規制し、もってバッテリパック１０の防水性を高めることができる。
また、上記したバッテリパック１０によれば、筐体ケース１１のうち、雄フック部としての雄フック機構４０の配設部位となる操作部露出窓１１１の上側位置には、段差ガイド部５０が設けられている。この段差ガイド部５０の段差凸形状によって、操作部露出窓１１１周辺の水を操作部露出窓１１１から隔てることができる。これによって、水を操作部露出窓１１１から隔てて筐体ケース１１の外部から内部に水が入ってしまうのを規制し、もってバッテリパック１０の防水性を高めることができる。
また、上記したバッテリパック１０によれば、電気接続部３４（プラス用接続部３４１、マイナス用接続部３４２、制御用接続部３４３）と、この電気接続部３４の前側に位置するバッテリパック１０の上面１７との間に存する境界部分には、段差部３７が設けられているので、この段差凸形状によって、電気接続部３４周辺の水を電気接続部３４から隔てることができる。これによって、水を電気接続部３４から隔てて筐体ケース１１の外部から内部に水が入ってしまうのを規制し、もってバッテリパック１０の防水性を高めることができる。
【００２７】
［第２の実施の形態］
次に、本発明に係るバッテリパックを実施するための第２の実施の形態について、図６以降の図面を参照しながら説明する。なお、この第２の実施の形態のバッテリパック６０は、上記した第１の実施の形態のバッテリパック１０の構成において通風孔７１，８１が設けられた実施の形態となっている。すなわち、この第２の実施の形態のバッテリパック６０は、第１の実施の形態のバッテリパック１０と略同一に構成されるものとなっている。このため、第２の実施の形態のバッテリパック６０のうち、上記した第１の実施の形態のバッテリパック１０と同様に構成される部分については、第１の実施の形態のバッテリパック１０を説明した際に用いた符号と同一の符号を付して説明を省略する。なお、この第２の実施の形態のバッテリパック６０の雄フック機構４０Ａは、第１の実施の形態のバッテリパック１０の雄フック機構４０と僅かに相違する構成となっている。すなわち、この第２の実施の形態の雄フック機構４０Ａは、付勢コイルばね４９の構成が第１の実施の形態の雄フック機構４０と相違し、その他の構成については同様に構成される。このため、この第２の実施の形態の雄フック機構４０Ａは、符号末尾に‘Ａ’を付して説明を省略する。
図６では、この第２の実施の形態となるバッテリパック６０の外観を斜視にて示している。図７は、このバッテリパック６０を上面視した場合を示している。図８は、図７におけるＶＩＩＩ−ＶＩＩＩ断面矢視のバッテリパック６０の内部構造を示している。図９は、図７におけるＩＸ−ＩＸ断面矢視のバッテリパック６０の内部構造を示している。なお、以下の説明におけるバッテリパック６０は、バッテリパック６０の電気接続側が上側として規定しており、バッテリパック６０のスライド装着方向を前側として規定している。
【００２８】
図６〜図９に示すバッテリパック６０の上側面６１には、適宜の開口形状にて形成される２つの通風孔７１，８１が設けられている。すなわち、図示符号７１は吸気側通風孔である。この吸気側通風孔７１は、専用充電器等から送られてきた冷却風を、筐体ケース１１に内蔵される内部装置体２１に向けて送るためのものである。また、図示符号８１は排気側通風孔である。この排気側通風孔８１は、内部装置体２１に向けて送られて通過した冷却風を排気するためのものである。これらの通風孔７１，８１は、冷却風により内蔵される内部装置体２１（電池セル２２、制御基板２６）の温度を下げ、バッテリパック６０が満充電となるまでの時間を短縮する。詳しく言えば、専用充電器にてバッテリパック６０を充電する際、この充電によって内部装置体２１（電池セル２２、制御基板２６）の温度は高くなってしまうが、この通風孔７１，８１からの冷却風により内部装置体２１の温度を下げることができ、充電効果を高めてバッテリパック６０が満充電となるまでの時間を短縮する。つまり、専用充電器等から送られる冷却風は、吸気側通風孔７１から筐体ケース１１の内部に入り、内部装置体２１を冷却し、排気側通風孔８１から筐体ケース１１の外部に排出される。なお、排気側通風孔８１は、次に詳述する吸気側通風孔７１と異なり、単に開口しただけの形状にて形成されている。
【００２９】
２つの通風孔７１，８１は、図６〜図９に示すように、バッテリパック６０の上側面６１のうちバッテリパック６０の後側および前側の２個所に設けられている。すなわち、バッテリパック６０の上側面６１の後側には、吸気側通風孔７１が設けられている。この吸気側通風孔７１は、電気接続部３４（プラス用接続部３４１、マイナス用接続部３４２、制御用接続部３４３）と雄フック機構４０Ａとの間に存するバッテリパック６０の上側面６１に設けられている。この吸気側通風孔７１は、図６にも示すように、筐体ケース１１の外部から筐体ケース１１の内部へ空気を入れることができるように、バッテリパック６０の上側面６１を開口させた形状にて形成されている。このため、吸気側通風孔７１は、本発明に係る連通開口部に相当する。また、この吸気側通風孔７１の配設部位の周辺は、本発明に係る連通開口部付近に相当する部分となる。具体的には、吸気側通風孔７１の配設部位の周辺としては、吸気側通風孔７１の周縁７２およびこの周縁７２の周辺７３にて設定される。ここで、この吸気側通風孔７１の周縁７２には、上側に突出した形状の第１凸形リブ７５が設けられている。この第１凸形リブ７５は、この電気接続部３４の上面となる吸気側通風孔７１の周辺７３より一段と高くなるように上側に突出した形状にて形成されている。このため、この第１凸形リブ７５の凸形状によって、吸気側通風孔７１の配設部位の周辺７３の水を吸気側通風孔７１の配設部位から隔てることができる。これによって、水が吸気側通風孔７１から筐体ケース１１の内部に水が侵入させてしまうのを規制し、もってバッテリパック６０の防水性を高めることができる。
また、上記した吸気側通風孔７１の配設部位の周辺７３と、上記した電気接続部３４（プラス用接続部３４１、マイナス用接続部３４２、制御用接続部３４３）との間に存する境界部分にも、上記した第２凸形リブ７７が設けられている。この第２凸形リブ７７は、上記した第１凸形リブ７５と同様、電気接続部３４の上面となる吸気側通風孔７１の周辺７３より一段と高くなるように上側に突出した形状にて形成されている。このため、この第２凸形リブ７７の凸形状によって、電気接続部３４の配設部位の周辺７３の水を電気接続部３４の配設部位から隔てることができる。これによって、水が電気接続部３４から筐体ケース１１の内部に水が侵入させてしまうのを規制し、もってバッテリパック６０の防水性を高めることができる。
【００３０】
なお、本発明に係るバッテリパックにあっては、上記した実施の形態に限定されるものではなく、次のように適宜個所を変更して構成するようにしてもよい。
すなわち、上記した実施の形態の連通開口部としては、電気接続部３４（プラス用接続部３４１、マイナス用接続部３４２、制御用接続部３４３）、操作部露出窓１１１およびフック部露出窓１１２、吸気側通風孔７１を例示するものであった。しかしながら、本発明に係る連通開口部としては、上記した実施の形態に限定されることなく、筐体ケースの外部から該筐体ケースの内部に連通する構成であれば該当するものといえる。また、本発明に係る水入り込み規制部位としても、上記した実施の形態に限定されることなく、連通開口部付近の水が連通開口部に入り込んでしまうのを規制する構成であればよい。つまり、本発明に係る水入り込み規制部位としては、連通開口部付近の水を連通開口部から遠ざかる方向に流れさせる傾斜構造であったり、連通開口部付近の水を連通開口部から隔てさせる凹凸形状にて構成されるものであったりするものであればよいものである。また、この『凹凸形状』としては、例えば、上記したような突起形状の凸形リブ７５，７７に限定されることなく、これを含む凸状の壁構造であったり、凹状の溝構造であったり、適宜の凹凸段差形状等の構造が含まれる。
【００３１】
なお、上記した第２の実施の形態のバッテリパック６０にあっては、次のように水逃がし路が積極的に設けられるようにしてもよい。すなわち、上記した第１凸形リブ７５および第２凸形リブ７７の凸形状により隔てられた吸気側通風孔７１の配設部位の周辺７３には、これらの凸形状により水が溜まり易いものとなっている。このため、これらの凸形状により吸気側通風孔７１の配設部位の周辺７３に溜まった水を逃がすための水逃がし路が設けられるものであってもよい。この水逃がし路としては、適宜の形状構成を提案できるが、例えば次のように構成されるものであってよい。すなわち、上記した第１の実施の形態にて詳述した、フック部露出窓１１２と雄フック本体４５Ａのフック部４８Ａとの間にて形成されるフック隙間７９を水逃がし路の流入口として構成し、上記した操作部露出窓１１１を水逃がし路の流出口として構成するものであってもよい。このようにフック隙間７９を水逃がし路の流入口として構成した場合、筐体ケース１１の内部に一時的に入り、ベース部材４１Ａをつたって操作部露出窓１１１から筐体ケース１１の外部に流出することとなる。なお、上記したようにベース部材４１Ａは、筐体ケース１１と内部装置体２１とを隔離するものであるため、この筐体ケース１１の内部の一時的に浸入した水は、内部装置体２１までおよぶことがないものとなっている。つまり、ベース部材４１Ａをつたって操作部露出窓１１１から筐体ケース１１の外部に流出させることができる。なお、この水逃がし路としての流出口としては、このような操作部露出窓１１１だけではなく、適宜に形成されるものであってもよい。例えば、水逃がし路としての流出口としては、ベース部材４１Ａ下端近傍の筐体ケース１１において形成された、筐体ケース１１の鉛直方向内外を連通させるケース連通孔にて形成されるものであってもよい。このように水逃がし路としての流出口を、筐体ケース１１の鉛直方向内外を連通させるように形成した場合には、筐体ケース１１の下部から筐体ケース１１の外部に流出させ易いものとなる。
【符号の説明】
【００３２】
１０，６０  バッテリパック
１１  筐体ケース
１１１  操作部露出窓
１１２  フック部露出窓
１２  ケース本体
１６  上蓋部材
１７  バッテリパック（筐体ケース、上蓋部材）の上面（水入り込み規制部位）
１８  機構収容スペース
１９  締結螺子
２１  内部装置体
２２  電池セル
２６  制御基板
３０  スライド装着部
３１  スライドガイド部
３４  電気接続部
３４１  プラス用接続部
３４２  マイナス用接続部
３４３  制御用接続部
３５  端子受入れ溝
３５１  プラス用接続部の受入れ溝
３５２  マイナス用接続部の受入れ溝
３５３  制御用接続部の受入れ溝
３６  バッテリ側接続端子
３６１  プラス用接続部の接続端子
３６２  マイナス用接続部の接続端子
３６３  制御用接続部の接続端子
４０，４０Ａ  雄フック機構（雄フック部）
４１  ベース部材
４２  螺子部材
４５  雄フック本体
４６  付勢ガイド部
４７  操作部
４８  フック部
５０  段差ガイド部（水入り込み規制部位）
６１  バッテリパックの上側面
７１  吸気側通風孔
７２  吸気側通風孔の周縁
７３  吸気側通風孔の周辺
７５  第１凸形リブ（水入り込み規制部位）
７７  第２凸形リブ
７９  フック隙間
８１  排気側通風孔
【図１】
0005683905.tif 000002
【図２】
0005683905.tif 000003
【図３】
0005683905.tif 000004
【図４】
0005683905.tif 000005
【図５】
0005683905.tif 000006
【図６】
0005683905.tif 000007
【図７】
0005683905.tif 000008
【図８】
0005683905.tif 000009
【図９】
0005683905.tif 000010